(57)【要約】【課題】液晶制御素子が破損するのを抑制することが可能な表示装置を提供する。【解決手段】この表示装置１００は、平坦面状に設けられ、光源から照射された光量を調整する液晶制御素子２と、液晶制御素子２から照射された光により映像を表示する曲面状の表示面１ｂと、曲面状の表示面１ｂに沿って設けられた蛍光体層５とを備える。【選択図】図１
2010078761.tif 000002
【特許請求の範囲】
【請求項１】
平坦面状に設けられ、光源から照射された光量を調整する光調整部と、
前記光調整部から照射された光により映像を表示する曲面状または屈曲面状の表示面と
、
前記曲面状または屈曲面状の表示面に沿って設けられた発光体層とを備えた、表示装置
。
【請求項２】
前記表示面は、映像の表示方向に凸状に突出する曲面状に構成されている、請求項１に
記載の表示装置。
【請求項３】
前記発光体層が設けられた前記表示面は、前記光調整部から照射された光により面発光
するように構成されている、請求項１または２に記載の表示装置。
【請求項４】
表面が曲面状に形成された基材をさらに備え、
前記基材の曲面状に形成された表面に沿って前記発光体層が設けられている、請求項１
〜３のいずれか１項に記載の表示装置。
【請求項５】
前記光調整部は、平坦面状に設けられた一対の基板と、前記一対の基板間に配置された
液晶層とを含む、請求項１〜４のいずれか１項に記載の表示装置。
【請求項６】
前記光調整部には、複数の画素が設けられ、
平面的に見て、前記光調整部の画素部分に前記表示面が重なるように配置されるととも
に、前記表示面には、前記光調整部の各々の前記画素に対応する位置に、前記各々の画素
に対応する色に発光するように前記発光体層が設けられている、請求項１〜５のいずれか
１項に記載の表示装置。
【請求項７】
前記表示面には、前記各々の画素に対応する位置毎に、赤色、緑色および青色のいずれ
かの色に発光する前記発光体層が設けられている、請求項６に記載の表示装置。
【請求項８】
前記発光体層は、蛍光体である、請求項１〜７のいずれか１項に記載の表示装置。
【請求項９】
請求項１〜８のいずれか１項に記載の表示装置を備えた電子機器。
【発明の詳細な説明】
【技術分野】
【０００１】
本発明は、表示装置および電子機器に関する。
【背景技術】
【０００２】
従来、一対の基板と一対の基板間に設けられた液晶層とを備えた表示装置が知られてい
る（たとえば、特許文献１）。上記特許文献１には、一対の基板と、一対の基板間に設け
られた液晶層とを含む光調整部を備えた表示装置が開示されている。上記特許文献１に開
示された表示装置では、光調整部の基板間に電圧を印加して液晶を駆動させることにより
、光源から入射する光量を調整して表示面に照射するように構成されている。そして、上
記特許文献１の表示装置では、平坦面状に形成された光調整部の基板を撓ませるようにし
て光調整部を曲面状に変形させるとともに、光調整部を曲面状に変形させた状態で装置本
体に配置するように構成されている。
【特許文献１】特開２００３−３３７５４９号公報
【発明の開示】
【発明が解決しようとする課題】
【０００３】
しかしながら、上記特許文献１に記載の表示装置では、光調整部を曲面状に変形させた
状態で映像を表示する構成であり、光調整部の基板が曲面状に変形された状態で装置本体
に配置される。このため、光調整部の基板には変形に起因する応力が常に加わっている状
態になるので、この応力に起因して基板が破損する場合があるという問題点がある。さら
に、平坦面状に形成された光調整部を曲面状に変形させるため、曲面の曲率や形状には限
界があり、曲率の大きい形状や半球状等の色々な曲面形状および屈曲形状とすることは困
難であるという問題点がある。
【０００４】
この発明は、上記のような課題を解決するためになされたものであり、この発明の１つ
の目的は、光調整部が破損するのを抑制することが可能であり、曲率の大きい形状や半球
状等の色々な曲面形状の表示装置および電子機器を提供することである。
【課題を解決するための手段】
【０００５】
この発明の第１の局面による表示装置は、平坦面状に設けられ、光源から照射された光
量を調整する光調整部と、光調整部から照射された光により映像を表示する曲面状または
屈曲面状の表示面と、曲面状または屈曲面状の表示面に沿って設けられた発光体層とを備
える。
【０００６】
上記第１の局面による表示装置では、上記のように、平坦面状の光調整部を設けるとと
もに、曲面状または屈曲面状に形成された表示面に沿って発光体層を設けることによって
、光調整部を曲面状または屈曲面状に変形させることなく、発光により表示を行う発光体
層を曲面状または屈曲面状に設けることができる。これにより、平坦面状に形成された光
調整部には、変形されることによる応力が発生しないので、光調整部が破損するのを抑制
することができる。また、曲面状または屈曲面状の表示面に対して平坦面状の光調整部か
ら光を供給するように構成されているので、表示面の曲率や形状に係わりなく一様に光を
供給することができる。すなわち、曲率の大きい形状や半球状等の色々な曲面形状および
屈曲形状に形成された表示面に対しても容易に表示を行うことができる。また、曲面状ま
たは屈曲面状の表示面に設けられた発光体層が発光するので、光の一部が吸収されるカラ
ーフィルタにより表示を行う場合に比べて、高輝度な映像を表示することができる。
【０００７】
上記第１の局面による表示装置において、好ましくは、表示面は、映像の表示方向に凸
状に突出する曲面状に構成されている。このように構成すれば、表示面に沿って発光体層
を配置することにより凸状でかつ曲面状の表示面において容易に映像を表示させることが
できる。
【０００８】
上記第１の局面による表示装置において、好ましくは、発光体層が設けられた表示面は
、光調整部から照射された光により面発光するように構成されている。このように構成す
れば、たとえば、カラーフィルタにより表示を行う従来の液晶表示装置と異なり液晶の視
界特性がないので、視野角の広い表示装置を得ることができる。
【０００９】
上記第１の局面による表示装置において、好ましくは、表面が曲面状に形成された基材
をさらに備え、基材の曲面状に形成された表面に沿って発光体層が設けられている。この
ように構成すれば、発光体層が設けられた曲面状の表示面を有する基材と平坦面状の光調
整部とを組み合わせて配置することにより、光調整部を表示面に合わせた曲面形状に変形
させる場合と異なり、容易に表示装置を形成することができる。
【００１０】
上記第１の局面による表示装置において、好ましくは、光調整部は、平坦面状に設けら
れた一対の基板と、一対の基板間に配置された液晶層とを含む。このように構成すれば、
基板間に発生させた電界により液晶を駆動させることにより透過する光量を調整する液晶
制御素子を光調整部として用いることができる。
【００１１】
上記第１の局面による表示装置において、好ましくは、光調整部には、複数の画素が設
けられ、平面的に見て、光調整部の画素部分に表示面が重なるように配置されるとともに
、表示面には、光調整部の各々の画素に対応する位置に、各々の画素に対応する色に発光
するように発光体層が設けられている。このように構成すれば、光調整部の各画素からの
光がそれぞれ対応する発光体層に照射されるので、曲面状または屈曲面状の表示面に確実
に映像を表示することができる。また、発光体層が各画素の位置に対応するように設けら
れているので、各画素毎に対応する色に発光させることができる。したがって、高解像度
な映像を表示することができる。
【００１２】
この場合、好ましくは、表示面には、各々の画素に対応する位置毎に、赤色、緑色およ
び青色のいずれかの色に発光する発光体層が設けられている。このように構成すれば、発
光体層を用いて、容易に、Ｒ(赤色)Ｇ（緑色）およびＢ（青色）の加法混色による表示を
行うことができる。
【００１３】
上記第１の局面による表示装置において、好ましくは、発光体層は、蛍光体であっても
よい。
【００１４】
この発明の第２の局面による電子機器は、上記した構成を有する表示装置を備える。こ
のように構成すれば、光調整部が破損するのを抑制することが可能な表示装置を含む電子
機器を得ることができる。
【発明を実施するための最良の形態】
【００１５】
以下、本発明の実施形態を図面に基づいて説明する。
【００１６】
図１は、本発明の一実施形態による表示装置を示す斜視図である。図２は、本発明の一
実施形態による表示装置の分解斜視図である。図３は、本発明の一実施形態による表示装
置の拡大断面図である。図４は、本発明の一実施形態による表示装置の平面図である。図
１〜図４を参照して、本発明の一実施形態による表示装置１００の構成について説明する
。
【００１７】
本発明の一実施形態による表示装置１００は、図１および図２に示すように、基材１と
、液晶制御素子２とを備えている。液晶制御素子２は、液晶層２ａ（図３参照）を挟むよ
うに設けられた一対の平坦面状の基板２ｂおよび２ｃと、基板２ｂおよび２ｃを挟むよう
に配置された平坦面状の偏光板２ｄおよび２ｅとを備えるとともに、全体として平坦面状
に構成されている。基材１は、ガラスまたは透明樹脂により形成されている。基材１の偏
光板２ｅに対向する側の面１ａは、平坦面状に形成されているとともに、面１ａと反対側
の面（表示面）１ｂは、矢印Ｚ方向に突出する曲面状に形成されている。基材１の曲面状
に形成された表示面１ｂは、映像を表示する機能を有する。なお、液晶制御素子２は、本
発明の「光調整部」の一例である。
【００１８】
図３に示すように、基板２ｂおよび２ｃ間には、液晶層２ａが封入されている。また、
基板２ｂおよび２ｃ間には、画素３が複数形成されているとともに、各画素３は、画素電
極３ａと共通電極３ｂとを含んでいる。具体的には、基板２ｂ上に、各画素３毎に画素電
極３ａが形成されているとともに、基板２ｃ上には、画素電極３ａに対向する位置に共通
電極（対向電極）３ｂが形成されている。基板２ｃには、表示面１ｂに対して画素３毎に
光を導くための遮光膜（ブラックマトリクス）３ｃが設けられている一方、カラーフィル
タは設けられていない。また、偏光板２ｄに対向する位置にはバックライト４が配置され
ている。そして、基板２ｂおよび２ｃの画素電極３ａおよび共通電極３ｂ間に印加される
電界により液晶層２ａの液晶分子が駆動されるとともに、バックライト４からの光量が偏
光板２ｄと、基板２ｂおよび２ｃ間の液晶層２ａと、偏光版２ｅとにより調整されて基材
１側に照射されるように構成されている。また、バックライト４から基材１側に照射され
る光としては、指向性が強く、平行光であることが好ましい。なお、バックライト４は、
本発明の「光源」の一例である。
【００１９】
また、図３および図４に示すように、複数の画素３は、平面的に見て、マトリクス状に
形成されている。また、基材１の表示面１ｂには、表示面１ｂの曲面形状に沿って蛍光体
層５が塗布により形成されている。具体的には、表示面１ｂの表面には、液晶制御素子２
の各画素３にそれぞれ対応する領域毎に赤色、緑色および青色に対応する蛍光体層５がこ
の順番に交互に形成されている。また、各蛍光体層５は、基材１の表示面１ｂの中央部分
から端部に向かうに従って表示面１ｂに沿った長さが大きくなるように配置されており、
各蛍光体層５が、それぞれ、図４に示すように、平面的に見て同じ表面積になるように構
成されている。つまり、表示面１ｂの中央部分に形成された蛍光体層５の表示面１ｂに沿
った長さＬ１よりも、表示面１ｂの端部側に形成された蛍光体層５の表示面１ｂに沿った
長さＬ２のほうが大きくなるように構成されている。また、蛍光体層５は、平面的に見て
、表示面１ｂの各画素３に対応する面毎に形成されていることにより、液晶制御素子２の
各画素３から照射された光に対して面発光するように構成されている。なお、蛍光体層５
は、本発明の「発光体層」の一例である。
【００２０】
本発明の一実施形態による表示装置１００は、図５に示すように、腕時計型電子機器２
００などに用いることが可能である。具体的には、腕時計型電子機器２００において、上
に凸の曲面状の表示画面２００ａに本発明の一実施形態における表示装置１００が用いら
れる。これにより、従来の時計表示部に比べて高輝度な画像が表示可能であるとともに、
テレビ画像表示も可能とすることができ、腕時計型テレビを実現できる。
【００２１】
本実施形態では、上記のように、平坦面状の液晶制御素子２を設けるとともに、曲面状
に形成された表示面１ｂに沿って蛍光体層５を設けることによって、液晶制御素子２を曲
面状に変形させることなく、発光により表示を行う蛍光体層５を曲面状に設けることがで
きる。これにより、平坦面状に形成された液晶制御素子２には、変形されることによる応
力が発生しないので、液晶制御素子２の基板２ｂおよび２ｃが破損するのを抑制すること
ができる。また、曲面状に形成された表示面１ｂに対して平坦面状の液晶制御素子２から
光を供給するように構成されているので、表示面１ｂの曲率や形状に係わりなく一様に光
を供給することができる。すなわち、表示面１ｂを、本実施形態において説明した曲面形
状以外の、曲率の大きい形状や半球状等の色々な曲面形状および屈曲形状に形成した場合
であっても容易に表示を行うことができる。また、曲面状の表示面１ｂに設けられた蛍光
体層５が発光するので、光の一部が吸収されるカラーフィルタにより表示を行う場合に比
べて、高輝度で映像を表示することができる。
【００２２】
また、本実施形態では、表示面１ｂを、映像の矢印Ｚ方向に凸状に突出する曲面状に構
成することによって、表示面１ｂに沿って蛍光体層５を配置することにより凸状でかつ曲
面状の表示面１ｂから容易に映像を表示させることができる。
【００２３】
また、本実施形態では、蛍光体層５が設けられた表示面１ｂを、液晶制御素子２から照
射された光により面発光するように構成することによって、たとえば、カラーフィルタに
より表示を行う従来の液晶表示装置と異なり液晶の視界特性がないので、視野角の広い表
示装置１００を得ることができる。
【００２４】
また、本実施形態では、曲面状に形成された表示面１ｂを含む基材１を備え、基材１の
曲面状に形成された表示面１ｂに沿って蛍光体層５を設けることによって、蛍光体層５が
設けられた曲面状の表示面１ｂを有する基材１と平坦面状の液晶制御素子２とを組み合わ
せて配置することにより、液晶制御素子２を表示面１ｂに合わせた曲面形状に変形させる
場合と異なり、容易に表示装置１００を形成することができる。
【００２５】
また、本実施形態では、平面的に見て、液晶制御素子２の画素３部分に基材１の表示面
１ｂが重なるように配置するとともに、表示面１ｂには、液晶制御素子２の各画素３に対
応する位置に、それぞれ対応した色に発光する蛍光体層５を設けることによって、液晶制
御素子２の各画素３からの光がそれぞれ対応する蛍光体層５に照射されるので、曲面状の
表示面１ｂに確実に映像を表示することができる。また、蛍光体層５が各画素３の位置に
対応するように設けられているので、各画素３毎に対応する色に発光させることができる
。したがって、高解像度な映像を表示することができる。
【００２６】
また、本実施形態では、表示面１ｂには、各々の画素３に対応する位置毎に、赤色、緑
色および青色のいずれかの色に発光する蛍光体層５を設けることによって、蛍光体層５を
用いて、容易に、Ｒ（赤色）Ｇ（緑色）およびＢ（青色）の加法混色による表示を行うこ
とができる。
【００２７】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００２８】
たとえば、上記実施形態では、表示面１ｂが矢印Ｚ方向に突出する曲面形状を有する例
を示したが、本発明はこれに限らず、表示面１ｂが２つ以上の突出部分を有する曲面形状
（連続した凹凸を有する曲面形状）であってもよい。また、表示面１ｂが、たとえば、台
形状などのような屈曲面形状を有していてもよい。すなわち、凹凸形状により基材上に影
ができない程度の凹凸形状であればよい。また、図６に示すように、半球面の形状を有す
る基材１０の表面に蛍光体層５を塗布する場合にも本発明は適用可能である。この場合、
基材１０の半球面の表面上に、液晶制御素子２の各画素３に対応するようにして異なる色
（ＲＧＢなど）の蛍光体層５を塗布してもよい。
【００２９】
また、上記実施形態では、基材１の偏光板２ｅに対向する側の面１ａは、平坦面状に形
成されているとともに、面１ａと反対側の面（表示面）１ｂは、矢印Ｚ方向に突出する曲
面状に形成され、基材１の曲面状に形成された表示面１ｂは、映像を表示する機能を有す
る例を示したが、本発明はこれに限らず、基材１の偏光板２ｅに対向する側の面１ａを曲
面状に形成してもよい。この場合に、面１ａと反対側の面１ｂを表示面としてもよいが、
面１ａを表示面としてもよい。
【００３０】
また、上記実施形態では、基板２ｂ側に画素電極３ａを設け、かつ、基板２ｃ側に共通
電極３ｂを設けることにより縦電界を発生させる構成の液晶制御素子２を表示装置１００
に備える例を示したが、本発明はこれに限らず、たとえば、ＩＰＳモードやＦＦＳモード
などの、基板２ｂおよび２ｃのうち一方の基板に画素電極３ａおよび共通電極３ｂを設け
ることにより横電界を発生させる構成の液晶制御素子を本発明の光調整部として用いても
よい。
【００３１】
また、上記実施形態では、光調整部の一例として液晶制御素子２を用いる例を示したが
、本発明はこれに限らず、光源から照射される光に対するシャッタとしての機能を有して
いれば、液晶制御素子２以外の機構であってもよい。
【００３２】
また、上記実施形態では、赤色、緑色および青色に発光する蛍光体層５を表示面１ｂに
塗布により形成する例を示したが、本発明はこれに限らず、赤色、緑色および青色以外の
色に発光する蛍光体層を形成してもよい。また、蛍光体層５を塗布以外の方法により表示
面１ｂに形成してもよい。
【００３３】
また、上記実施形態では、発光体層として蛍光体層５を表示面１ｂに設ける例を示した
が、本発明はこれに限らず、蛍光体以外の発光体からなる層を設けてもよい。
【００３４】
また、上記実施形態では、表示面１ｂにおいて、各画素３にそれぞれ１つの色が対応す
るように蛍光体層５を形成する例を示したが、本発明はこれに限らず、複数の画素３に１
つの色が対応するように蛍光体層５を形成してもよい。
【００３５】
また、上記実施形態では、蛍光体層５を、表示面１ｂの中央部分から端部に向かうに従
って表示面１ｂに沿った長さが大きくなるように形成することにより、各蛍光体層５が、
それぞれ、平面的に見て同じ表面積になるように構成する例を示したが、本発明はこれに
限らず、各蛍光体層５を、表示面１ｂに沿った長さが全て等しくなるように表示面１ｂに
形成してもよい。この場合、それぞれ形成された蛍光体層５が、表示面１ｂの中央部分と
端部とにおいて同一の表面積になるために輝度に差が生じることがない。
【図面の簡単な説明】
【００３６】
【図１】本発明の一実施形態による表示装置の斜視図である。
【図２】本発明の一実施形態による表示装置の分解斜視図である。
【図３】本発明の一実施形態による表示装置の断面図である。
【図４】本発明の一実施形態による表示装置の平面図である。
【図５】本発明の一実施形態による表示装置を備えた電子機器を説明するための図である。
【図６】本発明の一実施形態による表示装置の変形例を説明するための斜視図である。
【符号の説明】
【００３７】
１      基材
１ｂ    表示面
２      液晶制御素子（光調整部）
２ａ    液晶層
２ｂ    基板
２ｃ    基板
３      画素
５      蛍光体層（発光体層）
１００  表示装置
２００  腕時計型電子機器
【図１】
2010078761.tif 000003
【図２】
2010078761.tif 000004
【図３】
2010078761.tif 000005
【図４】
2010078761.tif 000006
【図５】
2010078761.tif 000007
【図６】
2010078761.tif 000008